(57)【要約】本願は、ウェアラブルデバイスを用いる決済認証及び決済のための方法、システム、装置を開示する。前記方法は：ウェアラブルデバイスにより送信されるウェアラブルデバイスの決済トークンを受信するステップと；前記決済トークンを検証のために決済サーバへ送信するステップと；前記検証の成功後、前記決済サーバにより返されるサービスコンテンツを受信し、前記決済トークンの検証後、前記サービスコンテンツをユーザに提供するステップと；を含み、前記決済トークンが検証された後に、前記決済サーバが決済処理を実行する。本方法において、ウェアラブルデバイスは決済サーバに関連付けられているため、ウェアラブルデバイス上でリアルタイムのオフライン決済機能を実施でき、ユーザエクスペリエンスを高めることができる。
2019509578.tif 000002
【特許請求の範囲】
【請求項１】
ウェアラブルデバイスを用いる決済方法であって：
ウェアラブルデバイスにより送信される決済トークンを受信するステップと；
前記決済トークンを検証のために決済サーバへ送信するステップと；
前記検証の成功後、前記決済サーバにより返されるサービスコンテンツを受信し、前記サービスコンテンツをユーザに提供するステップと；を備え、
前記決済トークンが検証された後に、前記決済サーバが決済処理を実行する；
ウェアラブルデバイスを用いる決済方法。
【請求項２】
前記決済サーバが決済処理を実行した後に：
前記ウェアラブルデバイスにバインドされたモバイルデバイスへ決済通知を、前記決済サーバにより送信するステップを更に備える；
請求項１に記載のウェアラブルデバイスを用いる決済方法。
【請求項３】
前記ウェアラブルデバイスにより送信される前記ウェアラブルデバイスの前記決済トークンは、Ｂｌｕｅｔｏｏｔｈ（登録商標）又はＮＦＣを介して受信される、
請求項１に記載のウェアラブルデバイスを用いる決済方法。
【請求項４】
前記ウェアラブルデバイスにより送信された前記ウェアラブルデバイスの前記決済トークンが受信される前に：
ユーザの事前に定めた命令を、前記ウェアラブルデバイスにより受信するステップと；
前記事前に定めた命令に基づいて前記決済トークンを、前記ウェアラブルデバイスにより送信するステップと；を更に備える、
請求項１に記載のウェアラブルデバイスを用いる決済方法。
【請求項５】
前記事前に定めた命令は：
前記ウェアラブルデバイスが前記ユーザのタップ命令を受信し、タップ頻度が第１の所定の頻度範囲内にある；又は、
前記ウェアラブルデバイスが前記ユーザのシェイク命令を受信し、シェイク頻度が第２の所定頻度範囲内にある；又は、
前記ウェアラブルデバイスが前記ユーザの回転命令を受信し、回転振幅が所定の振幅範囲内にある；
という条件を満たす場合に、受信対象であると認識される、
請求項４に記載のウェアラブルデバイスを用いる決済方法。
【請求項６】
認証要求を、前記ウェアラブルデバイスにバインドされたモバイルデバイスにより、前記ウェアラブルデバイスへ送信するステップと；
前記認証要求に基づき前記ウェアラブルデバイスにより送信されたユーザ鍵を、前記モバイルデバイスにより受信するステップと；
前記ユーザ鍵を、前記モバイルデバイスにより前記決済サーバへ送信するステップと；
前記ユーザ鍵に基づいて前記決済サーバにより生成された前記決済トークンを、前記モバイルデバイスにより受信するステップと；
前記決済トークンを、前記モバイルデバイスより前記ウェアラブルデバイスへ送信するステップと；を更に備える、
請求項１に記載のウェアラブルデバイスを用いる決済方法。
【請求項７】
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
請求項６に記載のウェアラブルデバイスを用いる決済方法。
【請求項８】
ウェアラブルデバイスを用いる決済方法であって：
ユーザの事前に定めた命令を受信するステップと；
前記事前に定めた命令に基づいてウェアラブルデバイスの決済トークンを送信するステップと；を備え、
商店デバイス端末が前記決済トークンに基づいて検証を実行し、前記検証の成功後、サービスコンテンツを前記ユーザに提供し、前記決済トークンが検証された後、決済サーバが決済処理を実行する、
ウェアラブルデバイスを用いる決済方法。
【請求項９】
前記商店デバイス端末が前記決済トークンに基づいて検証を実行することは：
前記ウェアラブルデバイスにより送信された前記ウェアラブルデバイスの前記決済トークンを、前記商店デバイス端末により受信するステップと；
前記決済トークンを検証のために、前記商店デバイス端末により前記決済サーバへ送信するステップと；
前記決済サーバにより返された前記サービスコンテンツを、前記商店デバイス端末により受信し、前記検証の成功後、前記サービスコンテンツを前記ユーザに提供するステップと；を備える、
請求項８に記載のウェアラブルデバイスを用いる決済方法。
【請求項１０】
前記事前に定めた命令は：
前記ユーザのタップ命令が受信され、タップ頻度が第１の所定の頻度範囲内にある；又は、
前記ユーザのシェイク命令が受信され、シェイク頻度が第２の所定の頻度範囲内にある；又は、
前記ユーザの回転命令が受信され、回転振幅が所定の振幅範囲内にある；
という条件を満たす場合に、受信対象であると認識される、
請求項８に記載のウェアラブルデバイスを用いる決済方法。
【請求項１１】
前記決済サーバが決済処理を実行した後に：
前記ウェアラブルデバイスにバインドされたモバイルデバイスへ、決済通知を、前記決済サーバにより送信するステップ；を更に備える、
請求項８に記載のウェアラブルデバイスを用いる決済方法。
【請求項１２】
前記ウェアラブルデバイスの前記決済トークンは、前記事前に定めた命令に基づいてＢｌｕｅｔｏｏｔｈ（登録商標）又はＮＦＣを介して送信される、
請求項８に記載のウェアラブルデバイスを用いる決済方法。
【請求項１３】
モバイルデバイスにより送信された認証要求を受信するステップと；
前記認証要求に基づいてユーザ鍵を送信するステップと；
前記ユーザ鍵を、前記モバイルデバイスにより、前記決済サーバへ送信するステップと；
前記決済サーバにより前記ユーザ鍵に基づいて生成された前記決済トークンを、前記モバイルデバイスにより受信するステップと；
前記モバイルデバイスにより送信された前記決済トークンを受信するステップと；を更に備える、
請求項８に記載のウェアラブルデバイスを用いる決済方法。
【請求項１４】
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
請求項１３に記載のウェアラブルデバイスを用いる決済方法。
【請求項１５】
ウェアラブルデバイス上で決済認証を実行する方法であって：
認証要求をウェアラブルデバイスへ送信するステップと；
前記認証要求に基づいて前記ウェアラブルデバイスにより送信されたユーザ鍵を受信するステップと；
前記ユーザ鍵を前記決済サーバへ送信するステップと；
前記決済サーバにより前記ユーザ鍵に基づいて生成された決済トークンを受信するステップと；
前記ウェアラブルデバイス上で決済認証を実行するために、前記決済トークンを前記ウェアラブルデバイスへ送信するステップと；を備える、
ウェアラブルデバイス上で決済認証を実行する方法。
【請求項１６】
ウェアラブルデバイスを用いる決済方法であって：
商店デバイス端末により送信されるウェアラブルデバイスの決済トークンを受信するステップと；
前記決済トークンに基づいて検証を実行するステップと；
前記検証の成功後、前記商店デバイス端末に対応するサービスコンテンツを前記商店デバイス端末へ送信し、前記決済トークンが検証された後、決済処理を実行するステップと；を備える、
ウェアラブルデバイスを用いる決済方法。
【請求項１７】
決済処理が実行された後：
前記ウェアラブルデバイスにバインドされたモバイルデバイスに決済通知を送信するステップ：を更に備える、
請求項１６に記載のウェアラブルデバイスを用いる決済方法。
【請求項１８】
前記決済トークンを、前記ウェアラブルデバイスによりＢｌｕｅｔｏｏｔｈ（登録商標）又はＮＦＣを介して前記商店デバイス端末へ送信するステップ；を更に備える、
請求項１６に記載のウェアラブルデバイスを用いる決済方法。
【請求項１９】
認証要求を、前記ウェアラブルデバイスにバインドされたモバイルデバイスにより、前記ウェアラブルデバイスへ送信するステップと；
前記認証要求に基づいて前記ウェアラブルデバイスにより送信されたユーザ鍵を、前記モバイルデバイスにより受信するステップと；
前記モバイルデバイスにより送信された前記ユーザ鍵を受信するステップと；
前記ユーザ鍵に基づいて前記決済トークンを生成し、前記決済トークンを前記モバイルデバイスへ送信するステップと；
前記決済トークンを、前記モバイルデバイスにより、前記ウェアラブルデバイスへ送信するステップと；を更に備える、
請求項１６に記載のウェアラブルデバイスを用いる決済方法。
【請求項２０】
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
請求項１９に記載のウェアラブルデバイスを用いる決済方法。
【請求項２１】
ウェアラブルデバイスを用いる決済システムであって：
ウェアラブルデバイスと、商店デバイス端末と、決済サーバとを備え：
前記ウェアラブルデバイスは、前記ウェアラブルデバイスの決済トークンを送信するように構成され；
前記商店デバイス端末は、前記決済トークンを検証のために前記決済サーバへ送信し、前記決済サーバにより返されたサービスコンテンツを受信し、前記サービスコンテンツをユーザに提供するように構成され；
前記決済サーバは、前記決済トークンに基づき検証を実行し、前記検証の成功後、前記サービスコンテンツを前記商店デバイス端末へ送信し、前記決済トークンが検証された後、決済処理を実行するように構成された；
ウェアラブルデバイスを用いる決済システム。
【請求項２２】
前記決済サーバは、前記ウェアラブルデバイスにバインドされるモバイルデバイスへ決済通知を送信するように更に構成された、
請求項２１に記載のウェアラブルデバイスを用いる決済システム。
【請求項２３】
前記ウェアラブルデバイスは、前記決済トークンをＢｌｕｅｔｏｏｔｈ（登録商標）又はＮＦＣを介して送信する、
請求項２１に記載のウェアラブルデバイスを用いる決済システム。
【請求項２４】
前記ウェアラブルデバイスは：
前記ユーザの事前に定めた命令を受信し、前記事前に定めた命令に基づいて前記決済トークンを送信するように構成された、
請求項２１に記載のウェアラブルデバイスを用いる決済システム。
【請求項２５】
前記ウェアラブルデバイスが前記ユーザのタップ命令を受信し、タップ頻度が第１の所定の頻度範囲内にある；又は、
前記ウェアラブルデバイスが前記ユーザのシェイク命令を受信し、シェイク頻度が第２の所定の頻度範囲内にある；又は、
前記ウェアラブルデバイスが前記ユーザの回転命令を受信し、回転頻度が所定の振幅範囲内にある；
という条件を満たす場合に、受信対象であると認識される、
請求項２４に記載のウェアラブルデバイスを用いる決済システム。
【請求項２６】
前記ウェアラブルデバイスに認証要求を送信し、前記認証要求に基づいて、前記ウェアラブルデバイスにより送信されたユーザ鍵を受信し、前記ユーザ鍵を前記決済サーバへ送信し、前記受信した、前記ユーザ鍵に基づいて前記決済サーバにより生成された決済トークンを前記ウェアラブルデバイスへ送信するように構成され、前記ウェアラブルデバイスにバインドされるモバイルデバイスを更に備える、
請求項２４に記載のウェアラブルデバイスを用いる決済システム。
【請求項２７】
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
請求項２６に記載のウェアラブルデバイスを用いる決済システム。
【請求項２８】
商店デバイス端末であって：
ウェアラブルデバイスにより送信される前記ウェアラブルデバイスの決済トークンを受信するように構成された第１の受信モジュールと；
前記決済トークンを検証のために決済サーバへ送信するように構成された第１の送信モジュールと；
前記検証の成功後、前記決済サーバにより返されたサービスコンテンツを受信するように構成された第２の受信モジュールと；
前記サービスコンテンツをユーザに提供するように構成された提供モジュールと；を備える、
商店デバイス端末。
【請求項２９】
前記第１の受信モジュールは、Ｂｌｕｅｔｏｏｔｈ（登録商標）又はＮＦＣを介して、前記ウェアラブルデバイスにより送信される、前記ウェアラブルデバイスの前記決済トークンを受信する、
請求項２８に記載の商店デバイス端末。
【請求項３０】
ウェアラブルデバイスであって：
ユーザの事前に定めた命令を受信するように構成された第３の受信モジュールと；
前記事前に定めた命令に基づいて前記ウェアラブルデバイスの決済トークンを送信するように構成された送信モジュールと；を備え、
商店デバイス端末が前記決済トークンに基づいて検証を実行し、前記検証の成功後、商品取引サービスを前記ユーザに提供する、
ウェアラブルデバイス。
【請求項３１】
前記送信モジュールは、前記ウェアラブルデバイスの前記決済トークンを、前記事前に定めた命令に基づいてＢｌｕｅｔｏｏｔｈ（登録商標）又はＮＦＣを介して送信する、
請求項３０に記載のウェアラブルデバイス。
【請求項３２】
前記ウェアラブルデバイスにバインドされたモバイルデバイスにより前記ウェアラブルデバイスへ送信された認証要求を受信するように構成された第４の受信モジュールと；
前記認証要求に基づきユーザ鍵を前記モバイルデバイスへ送信するように構成された第２の送信モジュールであって、前記モバイルデバイスは前記ユーザ鍵に基づいて前記決済トークンを前記ウェアラブルデバイスに返送する、第２の送信モジュールと；
前記モバイルデバイスにより送信された前記決済トークンを受信するように構成された第５の受信モジュールと；を更に備える、
請求項３０に記載のウェアラブルデバイス。
【請求項３３】
前記認証要求が受信された後に、前記ウェアラブルデバイスのＢｌｕｅｔｏｏｔｈ（登録商標）アドレス及びデバイスモデルに基づいて前記ユーザ鍵をランダムに生成するように構成された生成モジュール；を更に備える、
請求項３２に記載のウェアラブルデバイス。
【請求項３４】
モバイルデバイスであって：
認証要求をウェアラブルデバイスへ送信するように構成された第３の送信モジュールと；
前記認証要求に基づいて前記ウェアラブルデバイスにより送信されたユーザ鍵を受信するように構成された第６の受信モジュールと；
前記ユーザ鍵を決済サーバへ送信するように構成された第４の送信モジュールと；
前記ユーザ鍵に基づいて前記決済サーバにより生成される決済トークンを受信するように構成された第７の受信モジュールと；
前記ウェアラブルデバイス上で決済認証を実行するために、前記決済トークンを前記ウェアラブルデバイスへ送信するように構成された第５の送信モジュールと；
を備える、
モバイルデバイス。
【請求項３５】
決済サーバであって：
商店デバイス端末により送信されるウェアラブルデバイスの決済トークンを受信するように構成された第８の受信モジュールと；
前記決済トークンに基づいて検証を実行するように構成された検証モジュールと；
前記検証の成功後、前記商店デバイス端末に対応するサービスコンテンツを前記商店デバイス端末へ送信するように構成された第６の送信モジュールと；
前記決済トークンが検証された後、決済処理を実行するように構成された決済処理モジュールと；を備える、
決済サーバ。 
【請求項３６】
前記ウェアラブルデバイスにバインドされたモバイルデバイスに決済通知を送信するように構成された通知モジュール；を更に備える、
請求項３５に記載の決済サーバ。
【発明の詳細な説明】
【技術分野】
【０００１】
本願は、２０１６年３月２２日に出願された「ウェアラブルデバイスを用いる決済認証及び決済の方法、システム及び装置」と題された中国特許出願第２０１６１０１６６６８８．Ｘ号の優先権を主張し、上記中国特許出願は参照によってその全体が本明細書に組み込まれる。
【０００２】
本願は、決済技術の分野に関し、特に、ウェアラブルデバイスを使用した決済認証及び決済のための方法、システム、及び装置に関する。
【背景技術】
【０００３】
モバイル決済技術の発達により、ユーザはウェアラブルデバイス上で決済をすることができる。例えば、ユーザは、チャージセンターで自分のバスＩＣカードに予めチャージ（入金）しておくことにより、バス乗車中に、ＩＣカードチップが内蔵されたスマートリングを用いて決済をすることができる。
【０００４】
しかし、上述のウェアラブルデバイスを用いる決済方法で使える金額は、チャージした金額に限られる。残高不足が生じた場合、チャージによってしかウェアラブルデバイスの決済機能を実行できないため、不便である。加えて、ユーザがウェアラブルデバイスを紛失した場合、他者がそのウェアラブルデバイスを決済に使うことを防止できないので、資産の損失を招くことになる。
【発明の概要】
【０００５】
本願の狙いは、先に述べた技術上の問題の少なくとも１つを解決することである。
【０００６】
上記を斟酌し、本願の第１の目的は、ウェアラブルデバイスを用いる決済方法を提供することである。この方法では、ウェアラブルデバイスが決済サーバに関連付けられることで、ウェアラブルデバイス上でリアルタイムのオフライン決済機能を実施でき、ユーザエクスペリエンスを改善できる。
【０００７】
本願の第２の目的は、ウェアラブルデバイスを用いる別の決済方法を提供することである。
【０００８】
本願の第３の目的は、ウェアラブルデバイス上で決済認証を実行する方法を提供することである。
【０００９】
本願の第４の目的は、ウェアラブルデバイスを用いる別の決済方法を提供することである。
【００１０】
本願の第５の目的は、ウェアラブルデバイスを用いる決済システムを提供することである。
【００１１】
本願の第６の目的は、商店デバイス端末を提供することである。
【００１２】
本願の第７の目的は、ウェアラブルデバイスを提供することである。
【００１３】
本願の第８の目的は、モバイルデバイスを提供することである。
【００１４】
本願の第９の目的は、決済サーバを提供することである。
【００１５】
前述の目的を達成するために、本願の第１の態様の実施は、ウェアラブルデバイスを用いる決済方法を提供し、前記方法は：ウェアラブルデバイスにより送信される決済トークン（バウチャ）を受信するステップと；前記決済トークンを検証のために決済サーバへ送信するステップと；前記検証の成功後、前記決済サーバにより返されるサービスコンテンツを受信し、前記サービスコンテンツをユーザに提供するステップと；を含み、前記決済トークンが検証された後に、前記決済サーバが決済処理を実行する。
【００１６】
本願のこの実施におけるウェアラブルデバイスを用いる決済方法では、受信した、ウェアラブルデバイスの決済トークンが、検証のために決済サーバへ送信され、検証成功後に、決済サーバにより返されたサービスコンテンツが受信され、サービスコンテンツがユーザに提供される。このように、ウェアラブルデバイスが決済サーバに関連付けられることにより、ウェアラブルデバイス上でリアルタイムのオフライン決済機能を実施できるようになり、ユーザエクスペリエンスを高めることができる。
【００１７】
前述の目的を達成するために、本願の第２の態様の実施は、ウェアラブルデバイスを用いる決済方法を提供し、前記方法は：ユーザの事前に定めた命令を受信するステップと；前記事前に定めた命令に基づいてウェアラブルデバイスの決済トークンを送信するステップと；を含み、商店デバイス端末が前記決済トークンに基づいて検証を実行し、前記検証の成功後、商品取引サービスを前記ユーザに提供し、前記決済トークンが検証された後、決済サーバが決済処理を実行する。
【００１８】
本願のこの実施におけるウェアラブルデバイスを用いる決済方法では、受信した、ユーザの事前に定めた命令に基づいてウェアラブルデバイスの決済トークンが送信され、商店デバイス端末が決済証明書に基づいて検証を実行し、検証成功後に商品取引サービスをユーザに提供する。このように、リアルタイムのオフライン決済機能をウェアラブルデバイス上で実行できることで、商店デバイス端末が商品取引サービスをユーザに提供でき、ユーザエクスペリエンスが高まる。
【００１９】
前述の目的を達成するために、本願の第３の態様の実施は、ウェアラブルデバイス上で決済認証を実行する方法を提供し、前記方法は：認証要求をウェアラブルデバイスへ送信するステップと；前記認証要求に基づいて前記ウェアラブルデバイスにより送信されたユーザ鍵を受信するステップと；前記ユーザ鍵を決済サーバへ送信するステップと；前記決済サーバにより前記ユーザ鍵に基づいて生成された決済トークンを受信するステップと；前記ウェアラブルデバイス上で決済認証を実行するために、前記決済トークンを前記ウェアラブルデバイスへ送信するステップと；を含む。
【００２０】
本願のこの実施におけるウェアラブルデバイス上で決済認証を実行する方法では、決済サーバが、認証要求に基づきウェアラブルデバイスにより送信されたユーザ鍵を受信することで、決済サーバがユーザ鍵に基づいて決済トークンを生成し、ウェアラブルデバイスに決済操作を実行する権限が与えられる。このように、ウェアラブルデバイスが決済サーバに関連付けられることにより、ウェアラブルデバイス上でリアルタイムのオフライン決済機能を実施できるようになり、ユーザエクスペリエンスを高めることができる。
【００２１】
前述の目的を達成するために、本願の第４の態様の実施は、ウェアラブルデバイスを用いる決済方法を提供し、前記方法は：商店デバイス端末により送信されるウェアラブルデバイスの決済トークンを受信するステップと；前記決済トークンに基づいて検証を実行するステップと；前記検証の成功後、前記商店デバイス端末に対応するサービスコンテンツを前記商店デバイス端末へ送信し、前記決済トークンが検証された後、決済処理を実行するステップと；を含む。
【００２２】
本願のこの実施におけるウェアラブルデバイスを用いる決済方法では、商店デバイス端末により送信され、受信した、ウェアラブルデバイスの決済トークン上で検証が実行され、検証成功後に、商店デバイス端末に対応するサービスコンテンツが商店デバイス端末へ送信される。このように、ウェアラブルデバイス上でリアルタイムのオフライン決済機能を実行でき、ユーザエクスペリエンスを高めることができる。
【００２３】
前述の目的を達成するために、本願の第５の態様の実施は、ウェアラブルデバイスを用いる決済システムを提供し、前記システムは、ウェアラブルデバイスと、商店デバイス端末と、決済サーバとを含む。前記ウェアラブルデバイスは、前記ウェアラブルデバイスの決済トークンを送信するように構成される。前記商店デバイス端末は、前記決済トークンを検証のために前記決済サーバへ送信し、前記決済サーバにより返されたサービスコンテンツを受信し、前記サービスコンテンツをユーザに提供するように構成される。前記決済サーバは、前記決済トークンに基づき検証を実行し、前記検証の成功後、前記サービスコンテンツを前記商店デバイス端末へ送信し、前記決済トークンが検証された後、決済処理を実行するように構成される。
【００２４】
本願のこの実施におけるウェアラブルデバイスを用いる決済システムでは、ウェアラブルデバイスが自己の決済トークンを送信する。決済サーバが決済トークンに基づいて検証を実行し、検証成功後に、商店デバイス端末へサービスコンテンツを送信する。商店デバイス端末が検証のために決済トークンを決済サーバへ送信し、決済サーバにより返された検証コンテンツを受信して、このサービスコンテンツをユーザに提供する。このように、ウェアラブルデバイスが決済サーバに関連付けられることにより、ウェアラブルデバイス上でリアルタイムのオフライン決済機能を実施できるようになり、ユーザエクスペリエンスを高めることができる。
【００２５】
前述の目的を達成するために、本願の第６の態様の実施は、商店デバイス端末を提供し、前記端末は：ウェアラブルデバイスにより送信される前記ウェアラブルデバイスの決済トークンを受信するように構成された第１の受信モジュールと；前記決済トークンを検証のために決済サーバへ送信するように構成された第１の送信モジュールと；前記検証の成功後、前記決済サーバにより返されたサービスコンテンツを受信するように構成された第２の受信モジュールと；前記サービスコンテンツをユーザに提供するように構成された提供モジュールと；を含む。
【００２６】
本願のこの実施における商店デバイス端末は、ウェアラブルデバイスにより送信されたウェアラブルデバイスの決済トークンを受信し、ウェアラブルデバイスの決済トークンを検証のために決済サーバへ送信し、検証成功後に、決済サーバにより返されたサービスコンテンツを受信し、サービスコンテンツをユーザに提供する。このように、ウェアラブルデバイス上でリアルタイムのオフライン決済機能を実行でき、ユーザエクスペリエンスを高めることができる。
【００２７】
前述の目的を達成するために、本願の第７の態様の実施は、ウェアラブルデバイスを提供し、前記デバイスは：ユーザの事前に定めた命令を受信するように構成された第３の受信モジュールと；前記事前に定めた命令に基づいて前記ウェアラブルデバイスの決済トークンを送信するように構成された送信モジュールと；を含み、商店デバイス端末が前記決済トークンを実行し、前記検証の成功後、商品取引サービスを前記ユーザに提供する。
【００２８】
本願のこの実施におけるウェアラブルデバイスが、ユーザの事前に定めた命令を受信し、この事前に定めた命令に基づいてウェアラブルデバイスの決済トークンを送信することで、商店デバイス端末が決済トークンに基づいて検証を実行でき、検証成功後に商品取引サービスをユーザに提供できる。このように、ウェアラブルデバイス上でリアルタイムのオフライン決済機能を実行でき、ユーザエクスペリエンスを高めることができる。
【００２９】
前述の目的を達成するために、本願の第８の態様の実施は、モバイルデバイスを提供し、前記デバイスは：認証要求をウェアラブルデバイスへ送信するように構成された第３の送信モジュールと；前記認証要求に基づいて前記ウェアラブルデバイスにより送信されたユーザ鍵を受信するように構成された第６の受信モジュールと；前記ユーザ鍵を決済サーバへ送信するように構成された第４の送信モジュールと；前記ユーザ鍵に基づいて前記決済サーバにより生成される決済トークンを受信するように構成された第７の受信モジュールと；前記ウェアラブルデバイス上で決済認証を実行するために、前記決済トークンを前記ウェアラブルデバイスへ送信するように構成された第５の送信モジュールと；を含む。
【００３０】
本願のこの実施におけるモバイルデバイスが、決済サーバによる認証要求に基づいてウェアラブルデバイスにより送信されたユーザ鍵を受信することで、決済サーバがユーザ鍵に基づいて決済トークンを生成し、決済トークンをウェアラブルデバイスへ送信して、ウェアラブルデバイス上で決済認証を実行できるようにする。このように、ウェアラブルデバイス上でリアルタイムのオフライン決済機能を実行でき、ユーザエクスペリエンスを高めることができる。
【００３１】
前述の目的を達成するために、本願の第９の態様の実施は、決済サーバを提供し、前記サーバは：商店デバイス端末により送信されるウェアラブルデバイスの決済トークンを受信するように構成された第８の受信モジュールと；前記決済トークンに基づいて検証を実行するように構成された検証モジュールと；前記検証の成功後、前記商店デバイス端末に対応するサービスコンテンツを前記商店デバイス端末へ送信するように構成された第６の送信モジュールと；前記決済トークンが検証された後、決済処理を実行するように構成された決済処理モジュールと；を含む。
【００３２】
本願のこの実施における決済サーバは、商店デバイス端末により送信され、受信した、ウェアラブルデバイスの決済トークンに基づいて検証を実行し、検証成功後に、商店デバイス端末に対応するサービスコンテンツを商店デバイス端末へ送信する。このように、ウェアラブルデバイス上でリアルタイムのオフライン決済機能を実行でき、ユーザエクスペリエンスを高めることができる。
【００３３】
本願のいくつかの追加の態様及び利点を以下の説明において提供するが、これらの態様及び利点は以下の説明において明瞭になる、又は、本願を実践することで理解できる。
【図面の簡単な説明】
【００３４】
本願の先に説明した、及び／又は追加の、態様及び利点は、添付の図面を参照して以下の実施の説明において明らかであり理解することができる。
【００３５】
【図１】本願の実施による、ウェアラブルデバイスを用いる決済方法を示すフローチャートである。
【００３６】
【図２】本願の実施による、ウェアラブルデバイス上で決済認証を実行する方法を示すフローチャートである。
【００３７】
【図３（ａ）】本願の実施による、スマートリングのバインディング工程を示す概略フローチャートである。
【図３（ｂ）】本願の実施による、スマートリングのバインディング工程を示す概略フローチャートである。
【図３（ｃ）】本願の実施による、スマートリングのバインディング工程を示す概略フローチャートである。
【図３（ｄ）】本願の実施による、スマートリングのバインディング工程を示す概略フローチャートである。
【図３（ｅ）】本願の実施による、スマートリングのバインディング工程を示す概略フローチャートである。
【００３８】
【図４】本願の実施による、ウェアラブルデバイスを用いる決済方法を示すフローチャートである。
【００３９】
【図５】本願の実施による、ウェアラブルデバイスにより完了したオフライン決済を示す概略フローチャートである。
【００４０】
【図６】本願の実施による、ウェアラブルデバイス上での決済認証を実行するための方法を示すフローチャートである。
【００４１】
【図７】本願の実施による、ウェアラブルデバイス上での決済認証の実行を示す概略フローチャートである。
【００４２】
【図８】本願の実施による、ウェアラブルデバイスを用いる決済方法を示すフローチャートである。
【００４３】
【図９】本願の実施による、ウェアラブルデバイスを用いる決済システムを示す概略図である。
【００４４】
【図１０】本願の実施による、ウェアラブルデバイスを用いる決済システムを示す概略図である。
【００４５】
【図１１】本願の実施による、商店デバイス端末を示す概略図である。
【００４６】
【図１２】本願の実施による、ウェアラブルデバイスを示す概略図である。
【００４７】
【図１３】本願の実施による、ウェアラブルデバイスを示す概略図である。
【００４８】
【図１４】本願の実施による、モバイルデバイスを示す概略図である。
【００４９】
【図１５】本願の実施による、決済サーバを示す概略図である。
【００５０】
【図１６】本願の実施による、決済サーバを示す概略図である。
【発明を実施するための形態】
【００５１】
本願の実施を以下に詳細に説明する。実施の例は添付の図面に示されている。同一又は類似のものを先頭から末尾まで保持する参照符号は、同一又は類似の要素、又は、同一又は類似の機能を有する要素を表す。以下に添付図面を参照して説明する実施は、例示であり、本願を説明することだけを意図しており、本願に対する限定として解釈されるべきではない。
【００５２】
本願で提供されるウェアラブルデバイスを用いる決済方法では、ウェアラブルデバイスの決済トークンを検証した後に、決済サーバが、対応するサービスコンテンツをユーザに提供することにより、リアルタイムのオフライン決済機能をウェアラブルデバイス上で実施できるようにする。
【００５３】
図１は、本願の実施による、ウェアラブルデバイスを用いる決済方法を示すフローチャートである。この実施では、ウェアラブルデバイスを用いる決済方法を、商店デバイス端末を用いて説明する。本開示のこの実施におけるウェアラブルデバイスが、スマートリング、スマートウォッチ、スマートグラス等であってよい点は注記に値する。本願のこの実施におけるウェアラブルデバイスにより決済機能を実施するために、ウェアラブルデバイスは、ＯｐｅｎＳＳＬ暗号化ライブラリを含むことができる。加えて、ウェアラブルデバイスは、別のデバイスで用いられる接続技術とは異なる技術に基づき、Ｂｌｕｅｔｏｏｔｈ（登録商標）プロトコル、近距離無線通信（ＮＦＣ）プロトコル等をそれに応じてサポートすることができる。
【００５４】
更に、本願のこの実施におけるモバイルデバイスは、様々なオペレーティングシステムを実装したハードウェアデバイス、例えばモバイルフォン、タブレットコンピュータ、携帯情報端末等であってよい点は注記に値する。こうしたハードウェアデバイスは、本願のこの実施のウェアラブルデバイスで用いられている接続技術をサポートする。例えば、ウェアラブルデバイスがＢｌｕｅｔｏｏｔｈ（登録商標）プロトコル４．０を用いていれば、対応するモバイルデバイスもＢｌｕｅｔｏｏｔｈ（登録商標）プロトコル４．０をサポートする。
【００５５】
図１に示すように、ウェアラブルデバイスを用いる決済方法は以下のステップを含む。
【００５６】
Ｓ１１０：ウェアラブルデバイスにより送信されたウェアラブルデバイスの決済トークンを受信する。
【００５７】
本願のこの実施でのウェアラブルデバイスを用いる決済方法を実施するには、まず、ウェアラブルデバイスを認証する必要がある。図２は、本願の実施による、ウェアラブルデバイス上で決済認証を実行する方法を示すフローチャートである。図２に示すように、ウェアラブルデバイス上で決済認証を実行する方法は以下のステップを含む。
【００５８】
Ｓ２１０：ウェアラブルデバイスにバインドされたモバイルデバイスが、ウェアラブルデバイスへ認証要求を送信する。
【００５９】
モバイルデバイスは、まず、付近にある指定されたウェアラブルデバイスを事前にスキャンすることができる。例えば、モバイルデバイスは、Ｂｌｕｅｔｏｏｔｈ（登録商標）を介して決済アプリケーション標準Ｂｌｕｅｔｏｏｔｈ（登録商標）プロトコルをサポートするウェアラブルデバイスをスキャンし、モバイルデバイスとスキャンされたウェアラブルデバイスとの間にＢｌｕｅｔｏｏｔｈ（登録商標）通信接続を確立する。
【００６０】
通信接続が確立される前に、スキャンされたウェアラブルデバイスのＢｌｕｅｔｏｏｔｈ（登録商標）アドレス、モデル情報等を更に取得できる。モバイルデバイスとスキャンされたウェアラブルデバイスとの間のＢｌｕｅｔｏｏｔｈ（登録商標）通信接続は、取得されたＢｌｕｅｔｏｏｔｈ（登録商標）アドレス及び取得されたモデル情報が、スキャンにより識別されたＢｌｕｅｔｏｏｔｈ（登録商標）及びモデル情報と同一である場合に限って確立できる。
【００６１】
ウェアラブルデバイスをモバイルデバイスにバインドする工程をより明瞭に述べるために、図３（ｅ）を参照しながら、ウェアラブルデバイスを認可する方法を以下説明する。この実施例では、ウェアラブルデバイスはスマートリングであり、モバイルデバイスはモバイルフォンである。説明は以下のとおりである。
【００６２】
まず、図３（ａ）に示すように、バインドメニューを特定するための対応する操作を実行するために、及び、スマートリングをバインドするために、モバイルフォン上の決済アプリケーションインターフェースに入る。次に、図３（ｂ）に示すように、決済アプリケーションが、付近にある指定されたスマートウェアラブルデバイスを、Ｂｌｕｅｔｏｏｔｈ（登録商標）を介してスキャンする。この場合、決済アプリケーション標準Ｂｌｕｅｔｏｏｔｈ（登録商標）プロトコルをサポートしているウェアラブルデバイスのみをスキャンすることが可能である。加えて、図３（ｂ）に示すように、スキャンしたウェアラブルデバイスをリストにして表示できる。更に、図３（ｃ）に示すように、スマートリング上で特定の操作を実行するようユーザに促すために、関連のプロンプト情報がユーザへ送信される。図３（ｄ）に示すように、ユーザは、図３（ｃ）でのプロンプト情報に基づいて点灯したスマートリングをタップした後に、ユーザの身分証明を検証するべく、決済アプリケーションに決済パスワードを入力する。図３（ｅ）に示すように、検証に成功した後、スマートリングをモバイルフォンにバインドするために、対応する決済手順を有効にすることができる。
【００６３】
ウェアラブルデバイスは、モバイルデバイス上の決済アプリケーションを用いて、ユーザの関連する決済アカウント（例えば、ユーザの銀行カード、クーポン、電子ボーナスポイント）をバインドする点を理解されたい。
【００６４】
Ｓ２２０：モバイルデバイスが、認証要求に基づいて、ウェアラブルデバイスにより送信されたユーザ鍵を受信する。
【００６５】
先の実施に基づけば、ウェアラブルデバイスは、認証要求の受信後に、ＯｐｅｎＳＳＬ暗号化ライブラリを用いて、ウェアラブルデバイス（自己）のＢｌｕｅｔｏｏｔｈ（登録商標）アドレス及びデバイスモデルのようなデバイス情報に基づいて、認証要求のためのユーザ鍵をランダムに生成し、このユーザ鍵をモバイルデバイスへ送信できる。
【００６６】
Ｓ２３０：モバイルデバイスが、ユーザ鍵を決済サーバへ送信する。
【００６７】
Ｓ２４０：モバイルデバイスが、ユーザ鍵に基づき決済サーバにより生成された決済トークンを受信する。
【００６８】
ウェアラブルデバイスによるオフライン決済を実施し、ユーザの資産のセキュリティを確保するために、決済サーバはユーザ鍵に基づいて決済トークンを生成する。
【００６９】
決済トークンは、ウェアラブルデバイス、ウェアラブルデバイスのＢｌｕｅｔｏｏｔｈ（登録商標）モデル及びデバイス情報、ユーザの決済アカウント等に対応している点は注記に値する。決済トークンは一意であり、決済サーバによりバインド先のウェアラブルデバイスに対し発行された「トークン」である。１つの「トークン」は１つのウェアラブルデバイスに対応する。
【００７０】
実施例において、決済トークンは、ウェアラブルデバイスのデバイストークンとユーザトークンとを含むことができる。デバイストークンはウェアラブルデバイスの様々なデバイス情報に対応してよい。例えば、デバイストークンはウェアラブルデバイスのタイプ及びモデルに対応し、１つのデバイストークンは１つのウェアラブルデバイスに対応する。加えて、ユーザアカウントトークンはアカウントを一意に同定するために用いられ、ユーザのアカウントニックネーム、身分証明（ＩＤ）等を含むことができる。１人のユーザのアカウントトークンはそのユーザの１つの決済アカウント等に対応する。
【００７１】
更に、本願の実施では、認証セキュリティを確保するために、決済サーバは、生成された決済トークンを暗号化し、この暗号化された決済トークンをモバイルデバイスへ送信できる。
【００７２】
Ｓ２５０：モバイルデバイスが、ウェアラブルデバイスへ決済トークンを送信する。
【００７３】
ウェアラブルデバイスは受信した決済トークンを暗号化し、これを格納できる。このケースでは、決済トークンを取得するウェアラブルデバイスは認証に成功している。この認証は永続的に有効である。認証されたウェアラブルデバイスは、ユーザの決済アカウント、ユーザの銀行カード、クーポン、及び電子ボーナスポイントにバインドされている。
【００７４】
更に、決済トークンの送信イベントにおいて、対応する命令を事前に定めて格納しておくことができ、これにより、この格納された事前に定めた命令を、受信したユーザ命令に基づいてクエリして、この命令が事前に定めた命令であるかどうかを特定することにより、決済トークンの送信イベントを呼び出すかどうかを更に特定できる。事前に定めた命令が複数存在する点を理解されたい。複数の事前に定めた命令は、システムにより指定されてもよく、ユーザの操作傾向及び嗜好に基づいてユーザにより指定されてもよい。以下の説明では１つの実施例を用いる。
【００７５】
実施例において、事前に定めた命令はタップ命令を含んでよい。ウェアラブルデバイスがユーザのタップ命令を受信し、タップ頻度が第１の所定の頻度範囲内にあれば、そのユーザ命令は事前に定めた命令である、と特定される。
【００７６】
実施例において、事前に定めた命令はシェイク命令を含んでよい。ウェアラブルデバイスがユーザのシェイク命令を受信し、シェイク頻度が第２の所定の頻度範囲内にあれば、そのユーザ命令は事前に定めた命令である、と特定される。
【００７７】
実施例において、事前に定めた命令は回転命令を含んでよい。ウェアラブルデバイスがユーザの回転命令を受信し、回転振幅が所定の振幅範囲内にあれば、そのユーザ命令は事前に定めた命令である、と特定される。
【００７８】
更に、ユーザの事前に定めた命令を受信した後に、ウェアラブルデバイスがこの事前に定めた命令に基づき、格納された決済トークンを読み取り、決済トークンを復号化し、送信することができる。モバイルデバイスは、Ｂｌｕｅｔｏｏｔｈ（登録商標）又はＮＦＣを介して、ウェアラブルデバイスにより送信されたウェアラブルデバイスの決済トークンを受信できる。
【００７９】
Ｓ１２０：決済トークンを検証のために決済サーバへ送信する。
【００８０】
サービスを要求するウェアラブルデバイスが元来認証されているウェアラブルデバイスであるかどうかを検証するために、決済トークンが検証のために決済サーバへ送信される。
【００８１】
Ｓ１３０：決済サーバにより返されたサービスコンテンツを受信し、検証成功後に、このサービスコンテンツをユーザに提供する。ここで、決済サーバは、決済トークンが検証された後に決済処理を実行する。
【００８２】
決済トークンの有効性が検証された後に、ウェアラブルデバイスにより要求されたサービスコンテンツを取得するために、決済サーバ内のサービス機能ゾーンが、商店デバイス端末により送信された決済トークンに対してサービスの照合を行うことが分かる。商店デバイス端末が、決済サーバにより返されたサービスコンテンツを受信し、対応するサービスコンテンツをユーザに提供する（例えば、映画チケットを提供する）。
【００８３】
先の実施では、決済トークンが検証された後に、決済サーバが、対応する決済処理操作（例えば、料金引き落とし）を対応するサービスコンテンツに基づいて実行し、決済処理の完了後に、ウェアラブルデバイスにバインドされたモバイルデバイスに決済通知を送信する。決済通知は、ユーザが資金のリアルタイムでの変化を知ることができるように、決済金額、商品情報、決済場所等の情報を含むことができる。
【００８４】
本願の別の実施では、ウェアラブルデバイスは、先の実施で述べた決済機能に加え、チケットの受け取りのような検証機能を実施できる。例えば、ユーザがモバイルデバイスにバインドされたスマートリングのようなウェアラブルデバイスを携帯している場合、ユーザは、映画館の発券機の前で対応するメニューキーをタップ、シェイク、操作することにより、ウェアラブルデバイスを操作して、命令の受信後に、ユーザが決済アプリケーション上で既に購入したチケットを、発券機が自動的に印刷できるようにする。この機能は旅行チケットの受け取りのような他のシナリオにも適用できる点で注記するに値するが、ここでは詳細を説明しない。
【００８５】
本願の別の実施では、ユーザがウェアラブルデバイスを紛失した後に、ウェアラブルデバイスをモバイルデバイス上の対応する決済アプリケーションからバインド解除することで、ウェアラブルデバイスの決済機能を無効にし、ユーザの資産のセキュリティを確保できるようにする。
【００８６】
本願のこの実施におけるウェアラブルデバイスを用いる決済方法では、受信したウェアラブルデバイスの決済トークンが検証のために決済サーバへ送信され、検証の成功後に、決済サーバにより返されたサービスコンテンツが受信され、サービスコンテンツがユーザに提供される。このように、ウェアラブルデバイスが決済サーバに関連付けられていることにより、ウェアラブルデバイス上でリアルタイムのオフライン決済機能を実施できるようになり、ユーザの決済アカウントを用いて決済を行うことができる。加えて、ワンタイム認証を永続的に有効にでき、オフライン決済を実施できるので、ユーザエクスペリエンスを高めることができる。
【００８７】
本願で提供されるウェアラブルデバイスを用いる別の決済方法では、ウェアラブルデバイスの決済トークンはユーザの事前に定めた命令に基づいて送信されるので、商店デバイス端末はこの決済トークンに基づいて検証を実行でき、検証の成功後に商品取引サービスをユーザに提供できる。
【００８８】
本願のこの実施におけるウェアラブルデバイスを用いる決済方法を包括的に説明するために、以下の実施において、ウェアラブルデバイスを用いる決済方法を、ウェアラブルデバイスを使って説明する。図４は、本願の実施によるウェアラブルデバイス用いる決済方法を示すフローチャートである。図４に示すように、このウェアラブルデバイスを用いる決済方法は以下のステップを含む。
【００８９】
Ｓ４１０：ユーザの事前に定めた命令を受信する。
【００９０】
決済トークンの送信イベントにおいて、対応する命令を事前に定めて格納しておくことができ、これにより、この格納しておいた事前に定めた命令を、受信したユーザ命令に基づいてクエリして、このユーザ命令が事前に定めた命令であるかどうかを特定することにより、決済トークンの送信イベントを呼び出すかどうかを更に特定できる。事前に定めた命令が複数存在する点を理解されたい。複数の事前に定めた命令は、システムにより指定されてもよく、ユーザの操作傾向及び嗜好に基づいてユーザにより指定されてもよい。実施例を用いて以下説明する。
【００９１】
実施例において、事前に定めた命令はタップ命令を含んでよい。ウェアラブルデバイスがユーザのタップ命令を受信し、タップ頻度が第１の所定の頻度範囲内にあれば、そのユーザ命令は事前に定めた命令である、と特定される。
【００９２】
実施例において、事前に定めた命令はシェイク命令を含んでよい。ウェアラブルデバイスがユーザのシェイク命令を受信し、シェイク頻度が第２の所定の頻度範囲内にあれば、そのユーザ命令は事前に定めた命令である、と特定される。
【００９３】
実施例において、事前に定めた命令は回転命令を含んでよい。ウェアラブルデバイスがユーザの回転命令を受信し、回転振幅が所定の振幅範囲内にあれば、そのユーザ命令は事前に定めた命令である、と特定される。
【００９４】
つまり、ユーザ命令が事前に定めた命令である、と特定されると、事前に定めた命令が受信された、と認識される。
【００９５】
Ｓ４２０：事前に定めた命令に基づいてウェアラブルデバイスの決済トークンを送信する。ここで、商店デバイス端末がこの決済トークンに基づいて検証を実行し、検証の成功後にサービスコンテンツをユーザに提供し、決済トークンが検証された後、決済サーバが決済処理を実行する。
【００９６】
先の実施に基づいて、ユーザの事前に定めた命令を受信した後に、ウェアラブルデバイスはこの事前に定めた命令に基づいて決済トークンを読み取り、決済トークンを復号化し、復号化した決済トークンを商店デバイス端末へ送信できる。ウェアラブルデバイスは、Ｂｌｕｅｔｏｏｔｈ（登録商標）又はＮＦＣを介してウェアラブルデバイスの決済トークンを送信できる。
【００９７】
更に、商店デバイス端末はウェアラブルデバイスにより送信された決済トークンを受信し、この決済トークンを検証のために決済サーバへ送信する。決済トークンの有効性が検証された後、ウェアラブルデバイスにより要求されたサービスコンテンツを取得するために、決済サーバ内のサービス機能ゾーンが、商店デバイス端末により送信された決済トークンに対してサービスの照合を行うことが分かる。商店デバイス端末が、決済サーバにより返されたサービスコンテンツを受信し、対応するサービスコンテンツをユーザに提供する（例えば、映画チケットを提供する）。
【００９８】
先の実施では、決済トークンが検証された後に、決済サーバが、対応する決済処理操作を、対応するサービスコンテンツに基づいて実行し、決済処理の完了後に、ウェアラブルデバイスにバインドされたモバイルデバイスへ決済通知を送信する。ユーザが資金のリアルタイムでの変化を知ることができるように、決済通知は決済金額、商品情報、決済場所等の情報を含むことができる。
【００９９】
ウェアラブルデバイスにより決済トークンを取得する方法を説明するために、図２のウェアラブルデバイス上で決済認証を実行する方法の説明を参照する。ここでは詳細を再び説明はしない。
【０１００】
商店デバイス端末は、例えば自動販売機、映画発券機、商店のレジ等、ユーザに商品又はサービスを提供するデバイスであってよい点は注記に値する。
【０１０１】
当業者が本願の実施をより理解できるようにするために、ウェアラブルデバイスのオフライン決済手順を、図５を参照に、実施例を用いて説明する。この実施例では、ユーザによりバインドされた決済アカウントはＡｌｉｐａｙ（アリペイ）アカウントである。図５に示すように、ユーザの事前に定めた命令に基づいてウェアラブルデバイス上で決済イベントを開始でき（Ｓ５１０）、ウェアラブルデバイスのセキュアメモリ領域内の決済トークンを読み取り（Ｓ５２０）、決済トークンをウェアラブルデバイスのＡｌｉｐａｙ工程（Ａｌｉｐａｙ  ｐｒｏｃｅｓｓ）に返し（Ｓ５３０）、これにより、Ａｌｉｐａｙ工程がトークンを復号化し（Ｓ５４０）、トークンに基づいて取引トークンを生成し（Ｓ５５０）、取引トークンを商店デバイス端末のオフラインの自動販売機へ伝送できるようにする（Ｓ５６０）。商店デバイス端末が取引トークンに基づいて検証要求を決済サーバへ送信し（Ｓ５７０）、検証要求の受信後に、決済サーバ内のサービスサーバが、検証要求に基づき生成された検証トークンをトークンサーバへ送信することで（Ｓ５８０）、トークンサーバがユーザの身分証明に関連付けられるようにする（Ｓ５９０）。決済サーバ内のサービスサーバが、トークンに関連付けられたユーザの身分証明に基づき、一致したサービスを取得し、一致したサービスをオフラインの自動販売機へ返す（Ｓ５１００）。次に、オフラインの自動販売機が検証を完了し、関連するサービスをユーザに提供する（Ｓ５１１０）。
【０１０２】
本願のこの実施で提供されるウェアラブルデバイスを用いる決済方法では、ユーザの事前に定めた命令に基づいてウェアラブルデバイスの決済トークンを送信することで、商店デバイス端末が決済トークンに基づいて検証を実行でき、検証の成功後に、対応するサービスコンテンツをユーザに提供できるようになる。このように、オフライン決済はウェアラブルデバイスにより実施できる。決済通知は、ユーザの消費をより直感的にさせ、ユーザエクスペリエンスを高めるよう、関連の消費情報をユーザに通知するために送信される。
【０１０３】
本願で提供するウェアラブルデバイス上で決済認証を実行する方法では、決済サーバが、ウェアラブルデバイスにより認証要求に基づいて送信されたユーザ鍵を用いてウェアラブルデバイスの決済トークンを生成し、これにより、決済トークンをウェアラブルデバイスへ送信して、ウェアラブルデバイスを認証し、ウェアラブルデバイスを決済サーバに関連付けられるようにする。
【０１０４】
本願のこの実施では、本方法を、モバイルデバイスを用いて説明する点は注記に値する。図６は、本願の実施による、ウェアラブルデバイス上で決済認証を実行する方法を示すフローチャートである。図６に示すように、ウェアラブルデバイス上で決済認証を実行する方法は以下のステップを含む。
【０１０５】
Ｓ６１０：ウェアラブルデバイスに認証要求を送信する。
【０１０６】
Ｓ６２０：認証要求に基づいてウェアラブルデバイスにより送信されたユーザ鍵を受信する。
【０１０７】
本願の実施では、モバイルデバイスがウェアラブルデバイスへ認証要求を送信した後、ウェアラブルデバイス内のＯｐｅｎＳＳＬが、ウェアラブルデバイスのＢｌｕｅｔｏｏｔｈ（登録商標）モデル情報やデバイス情報等に基づいてユーザ鍵をランダムに生成し、このユーザ鍵をモバイルデバイスへ送信する。
【０１０８】
Ｓ６３０：ユーザ鍵を決済サーバへ送信する。
【０１０９】
Ｓ６４０：ユーザ鍵に基づいて決済サーバにより生成された決済トークンを受信する。
【０１１０】
本願の実施では、ウェアラブルデバイスによるオフライン決済を実施し、ユーザの資産のセキュリティを確保するために、決済サーバがユーザ鍵に基づいて決済トークンを生成して、更に決済サーバが、決済トークンに基づき、決済を開始するウェアラブルデバイスの有効性を検証できるようにしている。
【０１１１】
決済トークンは、ウェアラブルデバイス、ウェアラブルデバイスのＢｌｕｅｔｏｏｔｈ（登録商標）モデル及びデバイス情報、ユーザの決済アカウント等に対応している点は注記に値する。決済トークンは一意であり、決済サーバによりバインド先のウェアラブルデバイスに対し発行された「トークン」である。１つの「トークン」は１つのウェアラブルデバイスに対応している。
【０１１２】
実施例では、決済トークンはウェアラブルデバイスのデバイストークンとユーザトークンとを含むことができる。デバイストークンはウェアラブルデバイスの様々なデバイス情報に対応してよい。例えば、デバイストークンはウェアラブルデバイスのタイプ及びモデルに対応し、１つのデバイストークンは１つのウェアラブルデバイスに対応する。加えて、ユーザアカウントトークンはアカウントを一意に同定するために用いられ、ユーザのアカウントニックネーム、身分証明（ＩＤ）等を含むことができる。１人のユーザのアカウントトークンはそのユーザの１つの決済アカウント等に対応する。
【０１１３】
Ｓ６５０：決済トークンをウェアラブルデバイスへ送信してウェアラブルデバイス上で決済認証を実行する。
【０１１４】
図６におけるウェアラブルデバイスを用いて決済を実施する方法の説明は、図２でのウェアラブルデバイス上で決済認証を実行する方法を示すフローチャートに対応している点、及び、この方法が図２の方法のステップに対応している点は注記に値する。ここでは詳細を再び説明はしない。
【０１１５】
当業者が本願の実施をより明瞭に理解できるようにするために、ウェアラブルデバイス上で決済認証を実行する方法を実施例を用いて説明する。この実施例では、ウェアラブルデバイスはスマートリングであり、モバイルデバイスはモバイルフォンである。その説明は以下のとおりである。
【０１１６】
図７に示すように、ウェアラブルデバイス上で決済認証を実行する方法は以下のステップを含むことができる。モバイルフォンがウェアラブルデバイスに認証要求を送信する（Ｓ７１０）。ウェアラブルデバイス内のＡｌｉｐａｙ工程が、この要求に基づいてユーザ鍵を生成し、キーをユーザのＡｌｉｐａｙウォレット（Ａｌｉｐａｙ  ｗａｌｌｅｔ）へ送信する（Ｓ７２０）。Ａｌｉｐａｙウォレットが、ウェアラブルデバイスのオフライン決済を起動させる要求をＡｌｉｐａｙサーバ（Ａｌｉｐａｙ  ｓｅｒｖｅｒ）へ送信する（Ｓ７３０）。ＡｌｉｐａｙウォレットがＡｌｉｐａｙサーバに決済トークンを要求する（Ｓ７４０）。この要求に基づき、トークンサーバが対応する決済トークンを返す（Ｓ７５０）。ここで、決済トークンはウェアラブルデバイスのデバイス情報及びＢｌｕｅｔｏｏｔｈ（登録商標）モデル情報、ユーザのアカウント情報等に対応している。Ａｌｉｐａｙサーバ内のサービスサーバが決済トークンを暗号化する（Ｓ７６０）。サービスサーバがこの決済トークンをモバイルフォンのＡｌｉｐａｙウォレットへ送信する（Ｓ７７０）。Ａｌｉｐａｙウォレットが決済トークンをウェアラブルデバイスへ伝送する（Ｓ７８０）。ウェアラブルデバイスが決済トークンを暗号化し、暗号化された決済トークンをセキュアメモリ領域に格納して、ウェアラブルデバイス上での決済認証を完了する（Ｓ７９０）。
【０１１７】
本願のこの実施におけるウェアラブルデバイス上で決済認証を実行する方法では、決済サーバが、認証要求に基づきウェアラブルデバイスにより送信されたユーザ鍵を受信することで、決済サーバがユーザ鍵に基づいて決済トークンを生成し、ウェアラブルデバイスには、決済操作を実行する権限が与えられる。このように、ウェアラブルデバイスが決済サーバに関連付けられていることにより、ウェアラブルデバイス上でリアルタイムのオフライン決済機能を実施できるようになり、ユーザエクスペリエンスを高めることができる。
【０１１８】
本願で提供されるウェアラブルデバイスを用いる決済方法では、決済サーバが、商店デバイス端末により送信されたウェアラブルデバイスの決済トークンに基づいて検証を実行し、検証の成功後、商店デバイス端末に対応するサービスコンテンツを商店デバイス端末へ送信して、オフラインのリアルタイム決済機能をウェアラブルデバイス上で実施できるようにする。
【０１１９】
先の実施を実施するために、本願はウェアラブルデバイスを用いる決済方法を更に提供する。本願のこの実施を、決済サーバを用いて説明する。図８は、本願の実施による、ウェアラブルデバイスを用いる決済方法を示すフローチャートである。図８に示すように、ウェアラブルデバイスを用いるこの決済方法は以下のステップを含む。
【０１２０】
Ｓ８１０：商店デバイス端末により送信されたウェアラブルデバイスの決済トークンを受信する。
【０１２１】
商店デバイス端末により送信されたウェアラブルデバイスの決済トークンは、Ｂｌｕｅｔｏｏｔｈ（登録商標）又は近距離無線通信（ＮＦＣ）を介して受信できることが好ましい。
【０１２２】
決済トークンは、ウェアラブルデバイス、ウェアラブルデバイスのＢｌｕｅｔｏｏｔｈ（登録商標）モデル及びデバイス情報、ユーザの決済アカウント等に対応している点は注記に値する。決済トークンは一意であり、決済サーバによりバインド先のウェアラブルデバイスに対し発行された「トークン」である。１つの「トークン」は１つのウェアラブルデバイスに対応している。
【０１２３】
実施例では、決済トークンはウェアラブルデバイスのデバイストークンとユーザトークンとを含むことができる。デバイストークンはウェアラブルデバイスの様々なデバイス情報に対応してよい。例えば、デバイストークンはウェアラブルデバイスのタイプ及びモデルに対応し、１つのデバイストークンは１つのウェアラブルデバイスに対応する。加えて、ユーザアカウントトークンはアカウントを一意に特定するために用いられ、ユーザのアカウントニックネーム、身分証明（ＩＤ）等を含むことができる。１人のユーザの１つのアカウントトークンは１つのユーザアカウントに対応する。
【０１２４】
ウェアラブルデバイスにより決済トークンを取得する方法の詳細については、図２のウェアラブルデバイス上で決済認証を実行する方法を参照されたい。ここでは詳細を再び説明はしない。
【０１２５】
Ｓ８２０：決済トークンに基づき検証を実行する。
【０１２６】
Ｓ８３０：検証の成功後、商店デバイス端末に対応するサービスコンテンツを商店デバイス端末へ送信し、決済トークンが検証された後に決済処理を実行する。
【０１２７】
本願のこの実施におけるウェアラブルデバイスを用いる決済方法では、受信したウェアラブルデバイスの決済トークンが検証のために決済サーバへ送信され、検証の成功後、決済サーバにより返されたサービスコンテンツが受信され、サービスコンテンツがユーザに提供される。このように、ウェアラブルデバイスは決済サーバに関連付けられていることにより、ウェアラブルデバイス上でリアルタイムのオフライン決済機能を実施でき、ユーザの決済アカウントを用いて決済を行えるようになる。加えて、ワンタイム認証は永続的に有効にでき、オフライン決済を実施できるため、ユーザエクスペリエンスを高めることができる。
【０１２８】
先の実施を実施するために、本願はウェアラブルデバイスを用いる決済システムを更に提供する。図９は、本願の実施による、ウェアラブルデバイスを用いる決済システムを示す概略図である。図９に示すように、ウェアラブルデバイスを用いる決済システムは、ウェアラブルデバイス１００、商店デバイス端末２００、及び決済サーバ３００を含む。
【０１２９】
ウェアラブルデバイス１００は、ウェアラブルデバイスの決済トークンを送信するように構成されている。例えば、ウェアラブルデバイス１００は、Ｂｌｕｅｔｏｏｔｈ（登録商標）又はＮＦＣを介して決済トークンを送信できる。
【０１３０】
この実施を実装するためには、まず、ウェアラブルデバイス１００を認証する必要がある。図１０は、本願の実施による、ウェアラブルデバイスを用いる決済システムを示す概略図である。図１０に示すように、図９に基づき、ウェアラブルデバイスを用いる決済システムは、モバイルデバイス４００、つまりウェアラブルデバイス１００にバインドされたモバイルデバイス４００を更に含むことができる。モバイルデバイス４００は、認証要求をウェアラブルデバイス１００へ送信し、認証要求に基づきウェアラブルデバイスにより送信されたユーザ鍵を受信し、ユーザ鍵を決済サーバ３００へ送信し、ユーザ鍵に基づいて決済サーバ３００により生成され、受信された決済トークンをウェアラブルデバイス１００へ送信するように構成されている。
【０１３１】
本願の実施では、ウェアラブルデバイス１００は、ユーザの事前に定めた命令を受信し、この事前に定めた命令に基づいて決済トークンを送信するように構成されている。
【０１３２】
決済トークンの送信イベントにおいて、ユーザは対応する命令を事前に定めて格納しておくことができ、これにより、ウェアラブルデバイス１００が、この格納された事前に定めた命令を、受信したユーザ命令に基づいてクエリし、このユーザ命令が事前に定めた命令であるかどうかを特定して、決済トークンの送信イベントを呼び出すかどうかを更に特定できる。事前に定めた命令が複数存在する点を理解されたい。複数の事前に定めた命令は、システムにより指定されてもよく、ユーザの操作傾向及び嗜好に基づいてユーザにより指定されてもよい。実施例を用いて以下説明する。
【０１３３】
実施例において、事前に定めた命令はタップ命令を含んでよい。ウェアラブルデバイスがユーザのタップ命令を受信し、タップ頻度が第１の所定の頻度範囲内にあれば、そのユーザ命令は事前に定めた命令である、と特定される。
【０１３４】
実施例において、事前に定めた命令はシェイク命令を含んでよい。ウェアラブルデバイスがユーザのシェイク命令を受信し、シェイク頻度が第２の所定の頻度範囲内にあれば、そのユーザ命令は事前に定めた命令である、と特定される。
【０１３５】
実施例において、事前に定めた命令は回転命令を含んでよい。ウェアラブルデバイスがユーザの回転命令を受信し、回転振幅が所定の振幅範囲内にあれば、そのユーザ命令は事前に定めた命令である、と特定される。
【０１３６】
商店デバイス端末２００は、検証のために決済トークンを決済サーバ３００へ送信し、決済サーバ３００により返されたサービスコンテンツを受信し、サービスコンテンツをユーザに提供するように構成されている。
【０１３７】
つまり、サービスを要求するウェアラブルデバイス１００が元来認証されているウェアラブルデバイス１００であるかどうかを特定するために、商店デバイス端末２００は検証のために決済トークンを決済サーバ３００へ送信する。
【０１３８】
決済サーバ３００は、決済トークンに基づいて検証を実行し、検証の成功後、サービスコンテンツを商店デバイス端末２００へ送信し、決済トークンが検証された後に決済処理を実行するように構成されている。
【０１３９】
決済トークンの有効性が検証された後、ウェアラブルデバイス１００により要求されたサービスコンテンツを取得するために、決済サーバ３００内のサービス機能ゾーンが、商店デバイス端末２００により送信された決済トークンに対してサービスの照合を行うことが分かる。商店デバイス端末２００が、決済サーバ３００により返されたサービスコンテンツを受信し、対応するサービスコンテンツをユーザに提供する（例えば、映画チケットを提供する）。
【０１４０】
本願の実施では、決済サーバ３００は、更にウェアラブルデバイス１００にバインドされたモバイルデバイス４００に決済通知を送信するように構成されている。
【０１４１】
先の実施において、決済トークンが検証された後、決済サーバ３００が、対応する決済処理操作を、対応するサービスコンテンツに基づいて実行し、決済処理の完了後に、ウェアラブルデバイス１００にバインドされたモバイルデバイス４００に決済通知を送信する。ユーザが資金のリアルタイムでの変化を知ることができるように、決済通知は決済金額、商品情報、決済場所等の情報を含むことができる。
【０１４２】
本願におけるウェアラブルデバイスを用いる決済システムで開示されていない詳細については、本願におけるウェアラブルデバイスを用いる決済方法を参照できることは注記に値する。
【０１４３】
本願のこの実施におけるウェアラブルデバイスを用いる決済システムでは、受信したウェアラブルデバイスの決済トークンが検証のために決済サーバへ送信され、検証の成功後、決済サーバにより返されたサービスコンテンツが受信され、サービスコンテンツがユーザに提供される。このように、ウェアラブルデバイスが決済サーバに関連付けられていることにより、ウェアラブルデバイス上でリアルタイムのオフライン決済機能を実施できるようになり、ユーザエクスペリエンスを高めることができる。
【０１４４】
先の実施を実施するために、本願は商店デバイス端末を更に提供する。図１１は、本願の実施による商店デバイス端末を示す概略図である。図１１に示すように、商店デバイス端末は、第１の受信モジュール２１０、第１の送信モジュール２２０、第２の受信モジュール２３０、及び提供モジュール２４０を含む。
【０１４５】
第１の受信モジュール２１０は、ウェアラブルデバイスにより送信されたウェアラブルデバイスの決済トークンを受信するように構成されている。
【０１４６】
本願の実施では、第１の受信モジュール２１０は、Ｂｌｕｅｔｏｏｔｈ（登録商標）又はＮＦＣを介して、ウェアラブルデバイスにより送信されたウェアラブルデバイスの決済トークンを受信できる。
【０１４７】
本願の実施では、第１の受信モジュール２１０は、ユーザの事前に定めた命令を最初に受信し、この事前に定めた命令に基づいてウェアラブルデバイスの決済トークンを送信できる。
【０１４８】
決済トークンの送信イベントにおいて、対応する命令を事前に定めて格納しておくことができ、これにより、第１の受信モジュール２１０が、この格納された事前に定めた命令を、受信したユーザ命令に基づいてクエリし、このユーザ命令が事前に定めた命令であるかどうかを特定することで、決済トークンの送信イベントを呼び出すかどうかを更に特定できる。事前に定めた命令が複数存在する点を理解されたい。複数の事前に定めた命令は、システムにより指定されてもよく、ユーザの操作傾向及び嗜好に基づいてユーザにより指定されてもよい。実施例を用いて以下説明する。
【０１４９】
実施例において、事前に定めた命令はタップ命令を含んでよい。ウェアラブルデバイスがユーザのタップ命令を受信し、タップ頻度が第１の所定の頻度範囲内にあれば、そのユーザ命令は事前に定めた命令である、と特定される。
【０１５０】
実施例において、事前に定めた命令はシェイク命令を含んでよい。ウェアラブルデバイスがユーザのシェイク命令を受信し、シェイク頻度が第２の所定の頻度範囲内にあれば、そのユーザ命令は事前に定めた命令である、と特定される。
【０１５１】
実施例において、事前に定めた命令は回転命令を含んでよい。ウェアラブルデバイスがユーザの回転命令を受信し、回転振幅が所定の振幅範囲内にあれば、そのユーザ命令は事前に定めた命令である、と特定される。
【０１５２】
更に、ユーザの事前に定めた命令を受信した後に、第１の受信モジュール２１０は、この事前に定めた命令に基づいて、格納された決済トークンを読み取り、決済トークンを復号化して送信できる。第１の受信モジュール２１０は、送信されたウェアラブルデバイスの決済トークンを、Ｂｌｕｅｔｏｏｔｈ（登録商標）又はＮＦＣを介して受信できる。
【０１５３】
第１の送信モジュール２２０は、検証のために決済トークンを決済サーバへ送信するように構成されている。
【０１５４】
検証の成功後、第２の受信モジュール２３０は、決済サーバにより返されたサービスコンテンツを受信するように構成されている。
【０１５５】
決済トークンの有効性が検証された後、第２の受信モジュール２３０が、決済サーバにより返されたサービスコンテンツを受信することが分かる。例えば、第２の受信モジュール２３０は、リアルタイムの決済サービス又はオフライン決済サービスを受信する。
【０１５６】
本願の別の実施では、ユーザがウェアラブルデバイスを紛失すると、ウェアラブルデバイスをモバイルデバイス上の対応する決済アプリケーションからバインド解除することで、ウェアラブルデバイスの決済機能を無効にし、ユーザの資産のセキュリティを確保できるようにする。
【０１５７】
提供モジュール２４０はサービスコンテンツをユーザに提供するように構成されている。
【０１５８】
本願のこの実施における商店デバイス端末は、受信したウェアラブルデバイスの決済トークンを検証のために決済サーバへ送信し、検証の成功後、決済サーバにより返されたサービスコンテンツを受信し、サービスコンテンツをユーザに提供する。このように、ウェアラブルデバイスが決済サーバに関連付けられることにより、ウェアラブルデバイス上でリアルタイムのオフライン決済機能を実施でき、ユーザの決済アカウントを用いて決済を行えるようになる。加えて、ワンタイム認証を永続的に有効にできるので、ユーザエクスペリエンスを高めることができる。
【０１５９】
先の実施を実施するために、本願はウェアラブルデバイスを更に提供する。図１２は、本願の実施によるウェアラブルデバイスを示す概略図である。図１２に示すように、ウェアラブルデバイスは第３の受信モジュール１１０と送信モジュール１２０とを含む。
【０１６０】
第３の受信モジュール１１０はユーザの事前に定めた命令を受信するように構成されている。
【０１６１】
決済トークンの送信イベントでは、対応する命令を事前に定めて格納しておくことができ、これにより、第３の受信モジュール１１０が、この格納された事前に定めた命令を、受信したユーザ命令に基づいてクエリし、このユーザ命令が事前に定めた命令であるかどうかを特定することで、決済トークンの送信イベントを呼び出すかどうかを更に特定できる。事前に定めた命令が複数存在する点を理解されたい。複数の事前に定めた命令は、システムにより指定されてもよく、ユーザの操作傾向及び嗜好に基づいてユーザにより指定されてもよい。実施例を用いて以下説明する。
【０１６２】
実施例において、事前に定めた命令はタップ命令を含んでよい。ウェアラブルデバイスがユーザのタップ命令を受信し、タップ頻度が第１の所定の頻度範囲内にあれば、そのユーザ命令は事前に定めた命令である、と特定される。
【０１６３】
実施例において、事前に定めた命令はシェイク命令を含んでよい。ウェアラブルデバイスがユーザのシェイク命令を受信し、シェイク頻度が第２の所定の頻度範囲内にあれば、そのユーザ命令は事前に定めた命令である、と特定される。
【０１６４】
実施例において、事前に定めた命令は回転命令を含んでよい。ウェアラブルデバイスがユーザの回転命令を受信し、回転振幅が所定の振幅範囲内にあれば、そのユーザ命令は事前に定めた命令である、と特定される。
【０１６５】
送信モジュール１２０は、事前に定めた命令に基づいてウェアラブルデバイスの決済トークンを送信するように構成されている。商店デバイス端末は決済トークンに基づいて検証を実行し、検証の成功後、商品取引サービスをユーザに提供する。
【０１６６】
本願の実施では、図１３に示すように、決済トークンを取得するために、ウェアラブルデバイスは、図１３に基づき、第４の受信モジュール１３０、第２の送信モジュール１４０、及び第５の受信モジュール１５０を更に含む。
【０１６７】
第４の受信モジュール１３０は、ウェアラブルデバイスにバインドされたモバイルデバイスによりウェアラブルデバイスへ送信された認証要求を受信するように構成されている。
【０１６８】
第２の送信モジュール１４０は、認証要求に基づいてユーザ鍵をモバイルデバイスへ送信するように構成されている。モバイルデバイスは、ユーザ鍵に基づいて決済トークンをウェアラブルデバイスへ返す。
【０１６９】
第５の受信モジュール１５０は、モバイルデバイスにより送信された決済トークンを受信するように構成されている。
【０１７０】
つまり、ウェアラブルデバイスは決済トークンを取得することにより決済認証を取得し、決済トークンを「トークン」として用いてオフラインの決済機能を常に実行できるので、ワンタイム認証を永続的に有効にできる。
【０１７１】
先の実施に基づき、ユーザの事前に定めた命令を取得した後に、送信モジュール１２０が、事前に定めた命令に基づいて、Ｂｌｕｅｔｏｏｔｈ（登録商標）又はＮＦＣを介してウェアラブルデバイスの決済トークンを送信できる。
【０１７２】
本願のこの実施におけるウェアラブルデバイスは、受信したウェアラブルデバイスの決済トークンを検証のために決済サーバへ送信し、検証の成功後、決済サーバにより返されたサービスコンテンツを受信し、サービスコンテンツをユーザに提供する。このように、ウェアラブルデバイスが決済サーバに関連付けられることにより、ウェアラブルデバイス上でリアルタイムのオフライン決済機能を実施でき、ユーザの決済アカウントを用いてオフライン決済を行えるようになる。加えて、ワンタイム認証を永続的に有効にできるので、ユーザエクスペリエンスを高めることができる。
【０１７３】
先の実施を実施するために、本願はモバイルデバイスを更に提供する。図１４は、本願の実施によるモバイルデバイスを示す概略図である。図１４に示すように、モバイルデバイスは、第３の送信モジュール４１０、第６の受信モジュール４２０、第４の送信モジュール４３０、第７の受信モジュール４４０、及び第５の送信モジュール４５０を含む。
【０１７４】
第３の送信モジュール４１０は、ウェアラブルデバイスに認証要求を送信するように構成されている。
【０１７５】
第６の受信モジュール４２０は、認証要求に基づきウェアラブルデバイスにより送信されたユーザ鍵を受信するように構成されている。
【０１７６】
第４の送信モジュール４３０はユーザ鍵を決済サーバへ送信するように構成されている。
【０１７７】
第７の受信モジュール４４０は、ユーザ鍵に基づいて決済サーバにより生成された決済トークンを受信するように構成されている。
【０１７８】
第５の送信モジュール４５０は、ウェアラブルデバイス上で決済認証を実行するべく、決済トークンをウェアラブルデバイスへ送信するように構成されている。
【０１７９】
モバイルデバイスの機能を説明するために、図２のウェアラブルデバイス上で決済認証を実行する方法の機能の説明を参照できることは注記に値する。ここでは詳細を再び説明はしない。
【０１８０】
本願のこの実施におけるモバイルデバイスは、決済サーバの認証要求に基づいてウェアラブルデバイスにより送信されたユーザ鍵を受信することで、決済サーバがユーザ鍵に基づいて決済トークンを生成し、ウェアラブルデバイスに決済操作を実行する権限が与えられる。このように、ウェアラブルデバイスが決済サーバに関連付けられていることで、ウェアラブルデバイス上でリアルタイムのオフライン決済機能を実施できるようになり、ユーザエクスペリエンスを高めることができる。
【０１８１】
先の実施を実施するために、本願は決済サーバを更に提供する。図１５は、本願の実施による決済サーバを示す概略図である。図１５に示すように、決済サーバは、第８の受信モジュール３１０、検証モジュール３２０、第６の送信モジュール３３０、及び決済処理モジュール３４０を含む。
【０１８２】
第８の受信モジュール３１０は、商店デバイス端末により送信されたウェアラブルデバイスの決済トークンを受信するように構成されている。
【０１８３】
検証モジュール３２０は、決済トークンに基づいて検証を実行するように構成されている。
【０１８４】
決済トークンが元来生成されている決済トークンであるかどうかを検証することにより、現在の取引の有効性が特定される。
【０１８５】
第６の送信モジュール３３０は、検証の成功後、商店デバイス端末に対応するサービスコンテンツを商店デバイス端末へ送信するように構成されている。
【０１８６】
検証モジュール３２０が、決済トークンは有効である、と検証した後、第６の送信モジュール３３０が、対応するサービスコンテンツを、商店デバイス端末へ送信する（例えば、リアルタイム決済サービス又はオフライン決済サービスを送信する）ことが分かる。
【０１８７】
決済処理モジュール３４０は、決済トークンが検証された後に決済処理を実行するように構成されている。
【０１８８】
決済トークンが検証された後に、ウェアラブルデバイスにバインドされた決済アカウントに決済処理を実行して、現在の取引の決済が完了することが分かる。
【０１８９】
更に、図１６は本願の実施による決済サーバを示す概略図である。図１６に示すように、この決済サーバは、図１５を基準とし、通知モジュール３５０を更に含む。
【０１９０】
通知モジュール３５０は、ウェアラブルデバイスにバインドされたモバイルデバイスに決済通知を送信するように構成されている。
【０１９１】
決済サーバの機能の説明について、図８のウェアラブルデバイスを用いる決済方法の機能の説明を参照できることは注記に値する。ここでは詳細を再び説明はしない。
【０１９２】
本願のこの実施におけるウェアラブルデバイスを用いる決済システムでは、受信したウェアラブルデバイスの決済トークンが検証のために決済サーバへ送信され、検証の成功後、決済サーバにより返されたサービスコンテンツが受信され、サービスコンテンツがユーザに提供される。このように、ウェアラブルデバイスが決済サーバに関連付けられることにより、ウェアラブルデバイス上でリアルタイムのオフライン決済機能を実施できるようになり、ワンタイム認証を永続的に有効にすることができ、ユーザエクスペリエンスを高めることができる。
【０１９３】
本願の説明において、「第１の」及び「第２の」という用語は単に説明のためのものであり、示された技術的特徴の数の相対的な重要性又は暗示的な示唆の表示又は含意として理解されるものではない、ことを理解されたい。したがって、「第１」又は「第２」によって限定される機能は、明示的に又は暗黙的に少なくとも１つのそのような機能を含むことができる。本願の記載において、「複数の」は、他に明確に限定されない限り、少なくとも２つ、例えば２つ又は３つを意味する。
【０１９４】
本明細書の記述において、「実施」「いくつかの実施」「例」「特定の例」及び「いくつかの例」のような参照用語についての記述は、特定の特徴、構造、実施又は例を参照して説明される特徴が、本願の少なくとも１つの実施又は例に含まれることを意味する。本明細書では、用語の前述の例の表現が、必ずしも同一の実施又は例のためである必要はない。更に、記載された特定の特徴、構造、材料、又は特性は、実施又は例のいずれか１つ又は複数において適切な方法で組み合わせることができる。更に、当業者であれば、互いに矛盾しない限り、本明細書に記載された異なる実施又は例と、異なる実施又は例の特性を統合又は組み合わせることができる。
【０１９５】
フローチャート又は他の方法でここに記載された任意のプロセス又は方法についての説明は、以下のように理解することができる。特定の論理機能又は動作ステップを実施するために使用される実行可能命令の１つ又は複数のモジュール、セグメント、又はコードの一部が含まれる。本願の好ましい実施の範囲は他の実施を含み、機能は関連する機能にしたがって基本的に同時の方法又は逆の順序を含む、提示された又は議論された順序以外の順序で、実施され得る。これは、本願を実施する当業者によって理解されるべきである。
【０１９６】
本願の各部分は、ハードウェア、ソフトウェア、ファームウェア、又はそれらの組み合わせを使用して実施できることを理解されたい。前述の実施では、メモリに記憶され、適切な命令実行システムによって実行される、ソフトウェア又はファームウェアを使用して、複数のステップ又は方法が実施され得る。例えば、ハードウェアが実施のために使用され、別の実施に類似している場合、当該技術分野における以下の周知の技術のいずれか１つ又は組み合わせを実施に使用することができる：データ信号用の論理機能を実現するために使用される論理ゲート回路を有するディスクリート論理回路、適切な組合せ論理回路を有する特定用途向け集積回路、プログラマブルゲートアレイ（ＰＧＡ）、フィールドプログラマブルゲートアレイ（ＦＰＧＡ）など。
【０１９７】
当業者であれば、方法の実施のステップのすべて又はいくつかは、関連するハードウェアを指示するプログラムによって実施できることを理解することができる。このプログラムは、コンピュータ読み取り可能な記憶媒体に格納することができる。プログラムが実行されると、方法の実施のステップの１つ又は組合せが実行される。
【０１９８】
更に、本願の実施における機能ユニットは、１つの処理モジュールに統合することができ、又は各ユニットを物理的に単独で存在させることができ、又は２つ以上のユニットを１つのモジュールに統合することができる。統合モジュールは、ハードウェアの形態で実施することができ、又はソフトウェア機能モジュールの形態で実施することができる。統合モジュールがソフトウェア機能モジュールの形態で実施され、独立した製品として販売又は使用される場合、統合モジュールはコンピュータ可読記憶媒体に格納することができる。
【０１９９】
先に説明した記憶媒体は、読み出し専用メモリ、磁気ディスク又は光ディスクであってもよい。以上、本願の実施を示して説明したが、前述した実施は例示であり、本願を限定するものではない。本願の範囲内で、当業者は、先に説明した実施に変更、修正、置換、及び変形を加えることができる。
【図１】
2019509578.tif 000003
【図２】
2019509578.tif 000004
【図３（ａ）】
2019509578.tif 000005
【図３（ｂ）】
2019509578.tif 000006
【図３（ｃ）】
2019509578.tif 000007
【図３（ｄ）】
2019509578.tif 000008
【図３（ｅ）】
2019509578.tif 000009
【図４】
2019509578.tif 000010
【図５】
2019509578.tif 000011
【図６】
2019509578.tif 000012
【図７】
2019509578.tif 000013
【図８】
2019509578.tif 000014
【図９】
2019509578.tif 000015
【図１０】
2019509578.tif 000016
【図１１】
2019509578.tif 000017
【図１２】
2019509578.tif 000018
【図１３】
2019509578.tif 000019
【図１４】
2019509578.tif 000020
【図１５】
2019509578.tif 000021
【図１６】
2019509578.tif 000022
【国際調査報告】
2019509578.tif 000023
2019509578.tif 000024
2019509578.tif 000025
2019509578.tif 000026